(57)【要約】【課題】  カード媒体等を使用することなく、低コストにて遊技媒体の貸出しが行え得る遊技媒体貸出システムを提供する。【解決手段】  遊技者は、遊技中のパチンコ遊技台に対応する台間玉貸機において台移動を行なうための操作をすると、管理装置は、その時点における残度数情報、暗証番号情報及び移動先遊技台番号を対応させて登録し、遊技者が、移動先として登録された台番号のパチンコ遊技台において暗証番号を入力すると、登録されている残度数情報を管理装置よりより読み出し、その範囲内でパチンコ玉を貸し出すことができ、従来のようにカード媒体を使用することがないので、低コストでありながらセキュリティ性を低下させることなくパチンコ玉の貸出しを行なうことができ、また、カードを使用していないことから、カードの盗難、紛失或いは偽造を防止することもでき、さらに、安全性を高めることができる。【選択図】  図４
2006204352.tif 000002
【特許請求の範囲】
【請求項１】
遊技場に設置された遊技台と、
前記遊技台に関する各種情報を管理する管理装置と、
前記遊技台に対応して設けられ、投入された現金の範囲内で遊技媒体を貸出し可能な遊技媒体貸出装置と、
この遊技媒体貸出装置に対応して設けられ、情報を入力する入力手段とを備え、
前記管理装置は、前記入力手段から台移動を指示する情報が入力されたときは、その時点における前記投入された現金の残高と遊技者を特定する情報とを対応させて登録し、
前記遊技媒体貸出装置は、前記入力手段から遊技者を特定する情報が入力された場合に、当該情報に対応する残高が前記管理装置に登録されているときは、登録されている残高の範囲内で遊技媒体を貸出すことを特徴とする遊技媒体貸出システム。
【請求項２】
前記管理装置は、前記入力手段から遊技終了を示す情報が入力されたときは、その時点における残高と遊技者を特定する情報とを対応させて登録することを特徴とする請求項１記載の遊技媒体貸出システム。
【請求項３】
現金を払出し可能な清算機を備え、
前記清算機は、遊技者を特定する情報が入力された場合に、当該情報に対応する残高が前記管理装置に登録されているときは、登録されている残高の現金を払出すことを特徴とする請求項１または２記載の遊技媒体貸出システム。
【請求項４】
遊技者を特定する情報とは、移動元または移動先の台番号及び暗証番号であることを特徴とする請求項１ないし３の何れかに記載の遊技媒体貸出システム。
【発明の詳細な説明】
【技術分野】
【０００１】
本発明は、カード等の媒体を使用しない遊技媒体貸出システムに関する。
【背景技術】
【０００２】
一般的なプリペイドカードシステムとして例えばパチンコホールに設置された玉貸装置（ＣＲユニット等）がある。この玉貸装置において、プリペイドカードが用いられることにより、パチンコ遊技台における遊技を行うためのパチンコ玉が貸出される。このプリペイドカードは、支払った金額に応じて発行されるカード媒体であり、その金額情報或いはその金額に相当する玉数情報が記憶されており、その設定された範囲内でパチンコ玉の貸出しが可能となる。これにより、プリペイドカードを購入した遊技者は、パチンコ遊技台において現金を用いることなく遊技を行うことができる（例えば特許文献１参照）。
【特許文献１】特開２００２−６６０９６号公報（段落番号［００６１］参照）
【発明の開示】
【発明が解決しようとする課題】
【０００３】
上述したようなプリペイド機能を有するシステムは、どれもカード、コイン等の媒体を使用しており、その媒体自体に金額情報を記憶させる、或いは、その媒体固有のＩＤと金額情報とを管理することにより、プリペイド機能を実現している。しかしながら、このようなプリペイドカードシステムにおいては、使用に供されるプリペイドカード媒体の発行数だけコストが掛かり、また、プリペイドカード媒体の紛失、盗難或いは偽造等が発生するといった問題があった。
【０００４】
本発明は上記事情に鑑みてなされたもので、その目的は、カード媒体等を使用することなく、低コストにて遊技媒体の貸出しが行い得る遊技媒体貸出システムを提供するにある。
【課題を解決するための手段】
【０００５】
請求項１記載の発明は、遊技場に設置された遊技台と、前記遊技台に関する各種情報を管理する管理装置と、前記遊技台に対応して設けられ、投入された現金の範囲内で遊技媒体を貸出し可能な遊技媒体貸出装置と、この遊技媒体貸出装置に対応して設けられ、情報を入力する入力手段とを備え、前記管理装置は、前記入力手段から台移動を指示する情報が入力されたときは、その時点における前記投入された現金の残高と遊技者を特定する情報とを対応させて登録し、前記遊技媒体貸出装置は、前記入力手段から遊技者を特定する情報が入力された場合に、当該情報に対応する残高が前記管理装置に登録されているときは、登録されている残高の範囲内で遊技媒体を貸出すことを特徴とする遊技媒体貸出システム。
【０００６】
請求項２記載の発明は、前記管理装置は、前記入力手段から遊技終了を示す情報が入力されたときは、その時点における残高と遊技者を特定する情報とを対応させて登録することを特徴とする。
請求項３記載の発明は、現金を払出し可能な清算機を備え、前記清算機は、遊技者を特定する情報が入力された場合に、当該情報に対応する残高が前記管理装置に登録されているときは、登録されている残高の現金を払出すことを特徴とする。
請求項４記載の発明は、遊技者を特定する情報とは、移動元または移動先の台番号及び暗証番号であることを特徴とする。
【発明の効果】
【０００７】
請求項１記載の発明によれば、遊技者が台移動のために入力手段から台移動を指示する情報が入力されると、管理装置は、その時点における投入された現金の残高と遊技者を特定する情報とを対応させて登録する。
【０００８】
台移動した遊技者が入力手段から自分を特定する情報を入力すると、遊技媒体貸出装置は、入力手段から入力された情報に対応する残高が管理装置に登録されているときは、登録されている残高の範囲内で遊技媒体を貸し出す。従って従来のカード媒体等を使用することがなく同等の機能を実現することができるので、低コストにて遊技媒体の貸出しを行なうことができると共に紛失、盗難或いは偽造されることがない。
【０００９】
請求項２記載の発明によれば、管理装置は、入力手段から遊技終了を示す情報が入力されたときは、その時点における残高と遊技者を特定する情報とを対応させて登録することができるので、遊技者が次に来店したときにも、請求項１と同様の効果を得ることができる。
【００１０】
請求項３記載の発明によれば、清算機は、遊技者を特定する情報が入力された場合に、当該情報に対応する残高が管理装置に登録されているときは、登録されている残高の現金を払出すことができるので、遊技者は、遊技を終了する場合は、対応する残高の現金の支払いを清算機から受けることができる。
請求項４記載の発明によれば、遊技者を特定する情報が、移動元または移動先の台番号及び暗証番号であるので、セキュリティの低下を抑制することができる。
【発明を実施するための最良の形態】
【００１１】
以下、本発明の一実施例について図面を参照しながら説明する。
図１には、パチンコ遊技場内のシステム構成が概略的に示されている。この図１において、遊技場機器として設置された複数のパチンコ遊技台（遊技台に相当）１及び台間玉貸機（遊技媒体貸出装置に相当）２は、互いに隣接して配置されている。パチンコ遊技台１は、台間玉貸機２を介して、管理装置３に接続されている。また、管理装置３には、現金の払い出しを行なうための清算機４も接続されている。
【００１２】
図１におけるパチンコ遊技台１は、遊技中に予め設定された条件が成立したとき、例えば、スタート入賞口への入賞に伴い行われる抽選機能により大当たりが成立したときに、その大当たりの内容に応じて、入賞確率を大幅に高めた大当たり状態並びに大当たり確率を高めた確変状態を呈する構成となっている。このパチンコ遊技台１から管理装置３には、周知のアウト信号、セーフ信号、スタート信号、大当たり信号、確変信号などが出力される。
【００１３】
図１における台間玉貸機２は、液晶により構成された表示部５が設けられ、この表示部はタッチパネル（入力手段に相当）６による入力機能（入力手段に相当）を有している。さらに、台間玉貸機２には、貨幣の投入口７及び紙幣の投入口８が設けられている。この台間玉貸機２には、貨幣の投入口７或いは紙幣の投入口８からの投入された貨幣或いは紙幣を識別するための識別装置（図示しない）が内蔵されている。また、台間玉貸機２には、投入した現金に応じて予め払出し単位が設定されており、この設定値に対応したパチンコ玉（遊技媒体に相当）の払出しが行なわれる構成である。この設定値以下の現金が投入された場合は、そのまま投入金額分の払出しを行なう。また、この設定値以上の貨幣が投入された場合は、投入金額を一旦記憶して、表示部５に対応する数値を表示する。そして、遊技者によりパチンコ遊技台１或いは台間玉貸機２に設けられた貸出ボタン（全図に参照）が押圧されることにより、払出し単位分の玉数の払出しが行なわれる。尚、パチンコ玉の払い出しは、パチンコ遊技台１の払い出し機能を用いて当該パチンコ遊技台１の上皿（符号なし）へ直接払出されるようになっている。
【００１４】
この台間玉貸機２から管理装置３には、タッチパネル６から入力された入力情報として暗証番号情報、残高情報及び移動先台番号情報（詳細は後述する）及び台間玉貸機２による売上（遊技者側から見た場合には投入金額或いは前記記憶されている金額）を示す売上信号等が出力される。
【００１５】
図１において、清算機４には、液晶により構成された表示部４ａが設けられ、この表示部４ａに表示された払い出しに関する画面を操作するためのテンキー４ｂが設けられている。さらに、そのテンキー４ｂの下方には、現金の払出しを行なうための払出口４ｃが設けられている。この清算機４では、残高の清算を行なう場合は、後述するように遊技終了した遊技者が暗証番号（暗証番号情報）を入力することで、残高の払い出しが行なわれる構成である。
【００１６】
パチンコ遊技場の施設の一部である管理事務所内には、管理装置３が設けられており、この管理装置３には、店内ＬＡＮ９を介して台間玉貸機２及び清算機４が接続されている。これにより、台間玉貸機２及び清算機４は、管理装置３との間でデータ通信を行い得るようになっている。
【００１７】
管理装置３は、パチンコ遊技台１及び台間玉貸機２から出力される種々の信号（アウト信号、セーフ信号、スタート信号、大当たり信号、確変信号、売上信号など）に基づいて、パチンコ遊技場内のパチンコ遊技台１での周知の各種遊技データ及び台間玉貸機２での各種のデータ（売上金額、割数など）を集計して管理用データベースに蓄積するなどの機能を備えた周知構成のものである。さらに、台間玉貸機２でのデータとしては、暗証番号情報、移動元台番号情報及び残高情報などが追加されて集計される構成である。尚、図示しないが、店内ＬＡＮ９には、景品交換カウンタに設置されたＰＯＳ端末及び島端に設置されたパチンコ玉計数機などが接続されるものである。
【００１８】
ここで、管理装置３は、本発明に関連してかデータベースとして各種ファイルを蓄積するようになっている。
図２は、管理装置３の管理用データベースに蓄積されたデータのうち台移動時用の残高情報ファイルの一例を示し、また、図３は、終了時用の残高情報ファイルの一例を示すものであり、データ項目としては、以下に列挙したデータに係る「台番号」、「残高」、「暗証番号」が設定されている。
【００１９】
「台番号」（図２）：遊技者が台移動時に指定した移動先のパチンコ遊技台１の台番号を示す。
「台番号」（図３）：遊技者が遊技を終了した時点で遊技しているパチンコ遊技台１の題番号を示す。
「残高」：遊技者の台移動時及び遊技終了時における移動元のパチンコ遊技台１において記憶された現金（或いはパチンコ玉数）の残高を示す。
「暗証番号」：遊技者の台移動時及び遊技終了時における移動元のパチンコ遊技台１において登録された情報であり、移動先の台番号を指定した遊技者であることを特定するための例えば４桁の暗証番号（台番号と暗証番号とで遊技者を特定する情報に相当）を示す（ここでは、安全性確保のため、「＊＊＊＊」で表示されている）。
【００２０】
以下、本実施例の作用について説明する。
図４には、台間玉貸機２内の制御回路による制御内容のうち本発明の要旨に関係した玉貸処理ルーチンの内容が示されており、以下これについて、台間玉貸機２の表示部５、管理装置３或いは清算機４での表示例を示す図２、図３、図５ないし図１５を参照しながら説明する。
【００２１】
まず、遊技者がパチンコ遊技台１により遊技を行う場合、対応して設けられている台間玉貸機２に現金を投入することにより遊技を行うことができる。
台間玉貸機２の表示部５には、図示しない通常画面が表示されており、遊技者が台間玉貸機２に現金を投入したときは、図５に示すメニュー画面を表示する。このメニュー画面では、「貸出」ボタン６ａ、「再プレイ」ボタン６ｂ、「台移動」ボタン６ｃ、「遊技終了」ボタン６ｄが表示される。
【００２２】
遊技者がパチンコ遊技台１により遊技を行うため、台間玉貸機２に例えば３０００円を投入したとすると、図４に示す玉貸処理ルーチンにおいて、台間玉貸機２は、現金の受付を確認したときは（Ｓ１：ＹＥＳ）、投入された現金に応じた度数を残度数に加算してから（Ｓ２）、図５に示す、「貸出」ボタン６ａが押圧されるか（Ｓ３）、「遊技終了」ボタン６ｄが押圧されるか（Ｓ７）、「台移動」ボタン６ｃが押圧されるか（Ｓ９）をそれぞれ判断する。ここで、残度数とは、１００円につき１度数に設定された数値を示し、例えば、５００円ごとに残度数が５加算される構成である。この場合、遊技者により例えば３０００円の現金が投入されたので、図５に示すメニュー画面では表示部５の左上に残度数が３０と表示されている。ただし、５００円未満の現金が投入された場合は、残度数に加算することなくそのまま投入された金額分の払出しが行なわれる構成である。尚、「再プレイ」ボタン６ｂは、パチンコ遊技場に貯蓄されているパチンコ玉を利用した貯玉プレイを行なう場合に押圧するボタンであり、この貯玉プレイとは、遊技者が遊技終了等で余ったパチンコ玉を換金することなく遊技店に貯玉しておき、次回来店する際に再び利用して遊技を行なう遊技方法であり、本実施例とは直接関係がなく、周知の遊技方法であるので詳細な説明は省略する。
【００２３】
続いて、遊技者がパチンコ遊技台１において遊技を行うため、「貸出」ボタン６ａを押圧したとすると、台間玉貸機２は、「貸出」ボタン６ａが押圧されたと判断し（Ｓ３：ＹＥＳ）、残度数≧１であるかを判断する（Ｓ４）。ここでは、残度数が３０であるので、台間玉貸機２は、残度数≧１と判断し（Ｓ４：ＹＥＳ）、５度数分のパチンコ玉の貸出を行ない（Ｓ５）、ステップＳ５で貸出が行なわれた度数分（５度数）を残度数から減算する（Ｓ６）。
【００２４】
これにより、台間玉貸機２から該当するパチンコ遊技台１の上皿には５００円分のパチンコ玉が貸し出され、遊技者は遊技を行うことができるようになる。
次に、遊技者が遊技中のパチンコ遊技台１により遊技を終了する場合、対応して設けられている台間玉貸機２の表示部５に表示されている「遊技終了」ボタン６ｄを押圧することにより遊技を終了することができる。
【００２５】
遊技者がパチンコ遊技台１による遊技を終了するため、台間玉貸機２の表示部５の「遊技終了」ボタン６ｄを押圧すると、台間玉貸機２は、「遊技終了」ボタン６ｄが押圧されたと判断し（Ｓ７：ＹＥＳ）、遊技終了処理を実行する（Ｓ８）。
【００２６】
ここで、遊技終了処理について、図６及び図７を参照して説明する。
遊技者が「遊技終了」ボタン６ｄを押圧することにより、台間玉貸機２において遊技終了処理が実行されると、表示部５には遊技終了画面が表示される。
図６は台間玉貸機２に表示される遊技終了画面を示している。この図６においては、「遊技終了しますか？」というメッセージの下方に、「Ｙｅｓ」ボタン６ｅ及び「Ｎｏ」ボタン６ｆが表示されていると共に、「暗証番号を入力してください」というメッセージの下方にテンキー６ｘが表示される。
【００２７】
遊技者は、遊技を終了する場合は、テンキー６ｘを使用して任意の４桁の暗証番号を入力し、最終的な遊技終了の意向を確認するための表示「遊技を終了しますか？」に応じて「Ｙｅｓ」ボタン６ｅを押圧する。これにより、台間玉貸機２は、最終的に遊技終了を決定するので、暗証番号情報及び現在の残度数として例えば「３０」を、対応するパチンコ遊技台１の台番号情報と共に管理装置３に送信し、暗証番号の登録（暗証番号情報及び残度数の送信）が完了する。
【００２８】
台間玉貸機２は、暗証番号の登録が完了したときは、表示部５に登録画面を表示する。
図７は、台間玉貸機２に表示される登録画面を示している。この図７においては、残度数分の払出しを促すための表示「残額は清算機で清算してください」がされ、遊技者は、清算機４にて当該暗証番号を入力することにより残度数に対応する現金として３０００円の払い出しを受け取ることが可能になる。また、図６において、遊技者により遊技終了を拒否するための「Ｎｏ」ボタン６ｆが押圧されると、台間玉貸機２は、最終的な遊技終了が拒否されたと判断し、遊技終了処理（Ｓ８）を終了して、玉貸処理ルーチンにリターンする。
【００２９】
次に、遊技者が遊技中の例えば台番号３６０番のパチンコ遊技台１による遊技を終了して、別の例えば台番号３６１番のパチンコ遊技台１に台移動する場合、遊技者は、３６０番台のパチンコ遊技台１に対応して設けられている台間玉貸機２の表示部５に表示されている「台移動」ボタン６ｃを押圧することにより、遊技中（３６０番台）のパチンコ遊技台１の遊技を終了し３６１番台のパチンコ遊技台１へ台移動して遊技することができる。
【００３０】
即ち、遊技者がパチンコ遊技台１から台移動するため、台間玉貸機２の表示部５の「遊技終了」ボタン６ｄを押圧すると、台間玉貸機２は、「台移動」ボタン６ｃが押圧されたと判断し（Ｓ９：ＹＥＳ）、台移動処理を実行する（Ｓ１０）。
【００３１】
ここで、台移動処理について図８及び図９を参照して説明する。遊技者が「台移動」ボタン６ｃを押圧することにより、台間玉貸機２において台移動処理が実行されると、台間玉貸機２の表示部５には台移動確認画面が表示される。
図８は、台間玉貸機２に表示される台移動確認画面を示している。この図８においては、遊技者に台移動に伴う表示「移動先の台番号を入力してください」がされているので、遊技者は、タッチパネル６の下部に配置されているテンキー６ｘを使用して移動先の台番号「３６１」を入力し、最終的な台移動の意向を確認するための表示「他の台に移動しますか？」に応じて「Ｙｅｓ」ボタン６ｇを押圧する。
【００３２】
続いて、台間玉貸機２は、表示部５に確認画面を表示する。この図９においては、遊技者に台移動に伴う暗証番号の入力を促す表示「暗証番号を入力してください」がされているので、遊技者はタッチパネル式のテンキー６ｘを使用して任意の４桁の暗証番号を入力し、最終的な台移動の意向を確認するための表示「３６１番台に移動しますか？」に応じて「Ｙｅｓ」ボタン６ｇを押圧する。これにより、最終的に３６１番台への台移動が決定されて、台間玉貸機２は、暗証番号情報及び現在の残度数として「３０」を、対応するパチンコ遊技台１の台番号情報「３６１」と共に管理装置３に送信する。
【００３３】
そして、上述のようにして暗証番号情報、残度数並びに移動先台番号情報が対応するパチンコ遊技台１の台番号情報と共に管理装置３に受信されると、管理装置３は、移動先台番号情報に対応する３６１番台のパチンコ遊技台１に対応した台間玉貸機２に暗証番号情報及び残高情報を送信する。この場合、３６１番台が他の遊技者により遊技中であった場合には、暗証番号情報及び残度数情報を送信することができないので、台間玉貸機２（３６０番台に対応した）の表示部５には、現在遊技中である旨の表示が行なわれ、他の台番号のパチンコ遊技台１を選択する旨の表示を行なうことになる。尚、図９において遊技者により３６１番台への台移動を拒否するための「Ｎｏ」ボタン６ｈが押圧されると、図８に示す台移動確認画面が表示部５に表示される。図８において遊技者により台移動を拒否するための「Ｎｏ」ボタン６ｈが押圧されると最終的に台移動がキャンセルされて台間玉貸機２による台移動処理が終了し、玉貸処理ルーチンにリターンする。
【００３４】
さらに、遊技者が現在遊技中の３６０番台において、移動先として３６１番台に台移動する操作を行なうことにより、管理装置３により３６１番台へ暗証番号情報及び残高情報が送信される。すると、３６１番台に対応して設けられた台間玉貸機２は、管理装置３から台移動に伴う暗証番号情報及び残高情報を受信したと判断し（Ｓ１１：ＹＥＳ）、表示部５（３６１番台に対応した）を図１０に示す台キープ画面へ切換え（Ｓ１２）、「プリペイド遊技」ボタン６ｉが押圧されるのを待つ（Ｓ１３）。ここでは、「プリペイド遊技」ボタン６ｉが入力されるのを待つ時間は、５分間に設定されており、５分を経過すると、「プリペイド遊技」ボタン６ｉの入力の有無に関わらず通常画面に切換えられる（この場合、遊技終了と同じ扱いになるため、清算機４において残高の払い出しが可能な状態になる）。
【００３５】
このように３６１番台のパチンコ遊技台１はキープ状態に設定されているため、遊技者は、遊技中の３６０番台における台間玉貸機２において台移動に関する操作を終了して、３６１番台に移動して台間玉貸機２を操作することになる。
【００３６】
３６１番台に対応して設けられている台間玉貸機２の表示部５は、図１０に示す表示が行なわれているため、台移動した遊技者は、「プリペイド遊技」ボタン６ｉを押圧することにより台移動に関する操作を行なうことができ、ここで、遊技者により「プリペイド遊技」ボタン６ｉが押圧されると、台間玉貸機２は、「プリペイド遊技」ボタンが押圧されたと判断し（Ｓ１３：ＹＥＳ）、表示部５に図１１に示すように、暗証番号の入力を促す「暗証番号を入力してください」を表示させて、暗証番号が入力されるのを待つ（Ｓ１４）。
【００３７】
ここで、遊技者は、先程３６０番台で登録した暗証番号を入力する必要があり、遊技者が表示部５のタッチパネル式のテンキー６ｘを利用して３６０番台にて登録した暗証番号を入力すると、台間玉貸機２は、暗証番号が入力されたと判断し（Ｓ１４：ＹＥＳ）、暗証番号が一致しているかを判断する（Ｓ１４）。暗証番号が一致していない場合は（Ｓ１４：ＮＯ）、表示部５には図１２のエラー画面に示すように「もう一度暗証番号を入力してください」と表示が行なわれ、再度暗証番号の入力を待つ（Ｓ１３）。一方、暗証番号が移動先（３６０番台）にて入力された暗証番号と一致した場合は（Ｓ１４：ＹＥＳ）、表示部５には図１３の確認画面に示すように「確認完了  ３０００円分玉貸ができます  貸出Ｓｗ．を押してください」と表示が行なわれて、表示部５を「貸出」ボタン６ａ等を押圧可能なメニュー画面（図５参照）に切換え（Ｓ１５）、リターンする。
【００３８】
尚、遊技者が移動先の台番号として３６１番台を移動先として指定しているが、間違って例えば３６２番台に移動して操作してしまった場合は、台間玉貸機２の表示部５には、図１４のエラー画面に示す表示として「この台は移動先の台番号として指定されていません  台番号を確認してくださいまたは清算機で清算できます」が表示されることになる。
【００３９】
このような構成によれば、管理装置３は、遊技者により台間玉貸機２の表示部５の「台移動」ボタン６ｃが押圧されてパチンコ遊技台１の台移動が指示されたときは、その時点における残度数情報、遊技者により登録された暗証番号情報及び遊技中の遊技台番号を対応させて登録し、台間玉貸機２は、移動先として登録された台番号のパチンコ遊技台１において暗証番号が、タッチパネル６が操作されて入力された場合に、当該移動先の台番号情報及び暗証番号情報に対応する残度数情報が前記管理装置３に登録されているときは、登録されている残度数情報の範囲内でパチンコ玉を貸し出すことができる。従って、従来のようにカード媒体を使用することがないので、低コストでありながらセキュリティを低下させることなくパチンコ玉の貸出しを行なうことができる。また、カードを使用していないことから、カードの盗難、紛失或いは偽造を防止することもでき、安全性を一層高めることができる。
【００４０】
また、管理装置３にて、設定されているすべてのパチンコ遊技台１の残度数を常時管理するのではなく、台移動時に残度数情報を含む各種情報を管理する構成としたので、管理対象を減らすことで、他の遊技者により不正に暗証番号が入力されたとしても、不正暗証番号のヒット率を減らすことができる。
【００４１】
また、管理装置３は、台間玉貸機２の表示部５のタッチパネル６を介して遊技終了スィッチ６ｄが押圧されてパチンコ遊技台１における遊技終了が指示された場合は、その時点における残度数情報及び遊技者により登録された暗証番号情報含む各種情報を対応させて登録することができるので、前述と同様に管理装置３にて、設定されているすべてのパチンコ遊技台１の残度数を常時管理する必要がなく、遊技終了が指示されたときのみ残高情報及び暗証番号情報を登録することができる。
【００４２】
また、遊技終了が指示されたときに登録された残度数情報及び暗証番号情報を含む各種情報を基に、次回来店した際にも登録されている残度数情報の範囲内でパチンコ玉の貸し出しを行なうことができる。
【００４３】
さらに、清算機４は、暗証番号が入力されて一致した場合に、当該暗証番号情報に対応する残度数が管理装置３に登録されているときは、登録されている残度数分の現金を払出すので、遊技を終了する場合に、遊技者は清算機４にて暗証番号を入力するだけで残度数に対応する現金の支払いを受けることができる。
【００４４】
（変形例）
上記実施例においては、台移動時に移動先の台番号を入力する構成としたが、移動先で移動元の台番号を入力する構成としてもよい。この場合、移動先のパチンコ遊技台１において、直前に遊技中だったパチンコ遊技台１の台番号を入力して遊技することになり、遊技者は、自分の遊技したいパチンコ遊技台１が決まっていない場合にも、台移動を選択した後、遊技したいパチンコ遊技台１を決定することができる。
【００４５】
上記実施例においては、パチンコ遊技台１による遊技終了時に清算機４にて暗証番号を入力することにより、残度数分の払い出しを受ける構成としたが、直前に遊技していたパチンコ遊技台１の台番号とその際登録した暗証番号を入力する構成としてもよく、この場合、直前に遊技していた移動元の台番号と暗証番号とが入力された場合に払い出しが行なわれるので、さらに、セキュリティを向上させることができる。
上記実施例及び変形例において、パチンコ遊技中に現在の遊技中の遊技台番号を常に表示してアピールする構成としてもよく、この場合、台移動や遊技終了をする場合に、遊技中の台番号を忘れてしまうことを抑制することができる。
【００４６】
上記実施例においては、図４に示すステップＳ１２において台キープ画面（図１０）へ切換える構成としたが、「プリペイド遊技」ボタン６ｉを図５に予め表示しておく設定としてもよく、この場合は、移動先として指定されていなくても「プリペイド遊技」ボタン６ｉを押すことができるようになるので、移動先として指定されていない場合に「プリペイド遊技」ボタン６ｉが押圧された場合は、図１４に示すエラー画面が表示部５に表示されることになる。
【００４７】
上記実施例において遊技者を特定する情報を移動先台番号或いは移動元台番号、及び、暗証番号情報としたが、遊技者毎に予め設定された会員番号及び暗証番号を遊技者を特定する情報としてもよく、この場合、移動先のパチンコ遊技台１或いは清算機４において、会員番号及び暗証番号を入力することになる。
上記実施例において遊技終了の処理として登録する暗証番号が他人の暗証番号と重複していないかどうかのチェックを行い、重複していないことを確認した上で暗証番号を登録するのが好ましい。
上記実施例において、パチンコ遊技台１の払出機能を用いて貸出玉を払い出すＣＲパチンコ遊技台を前提としたが、遊技媒体貸出装置に払出し機能を備えて、貸出装置から貸し玉を払出す構成としてもよい。
【図面の簡単な説明】
【００４８】
【図１】本発明の一実施例を示すシステム全体の概略的構成図
【図２】管理装置による台移動時用の残高情報ファイル
【図３】管理装置による終了時用の残高情報ファイル
【図４】台間玉貸機内の制御回路による制御内容を示すフローチャート
【図５】台間玉貸機の表示部に表示される画面その１
【図６】台間玉貸機の表示部に表示される画面その２
【図７】台間玉貸機の表示部に表示される画面その３
【図８】台間玉貸機の表示部に表示される画面その４
【図９】台間玉貸機の表示部に表示される画面その５
【図１０】台間玉貸機の表示部に表示される画面その６
【図１１】台間玉貸機の表示部に表示される画面その７
【図１２】台間玉貸機の表示部に表示される画面その８
【図１３】台間玉貸機の表示部に表示される台画面その９
【図１４】台間玉貸機の表示部に表示される画面その１０
【符号の説明】
【００４９】
図面中、１はパチンコ遊技台（遊技台）、２は台間玉貸機（遊技媒体貸出装置）、３は管理装置、４は清算機、５は表示部、６はタッチパネル（入力手段）を示す。
【図１】
2006204352.tif 000003
【図２】
2006204352.tif 000004
【図３】
2006204352.tif 000005
【図４】
2006204352.tif 000006
【図５】
2006204352.tif 000007
【図６】
2006204352.tif 000008
【図７】
2006204352.tif 000009
【図８】
2006204352.tif 000010
【図９】
2006204352.tif 000011
【図１０】
2006204352.tif 000012
【図１１】
2006204352.tif 000013
【図１２】
2006204352.tif 000014
【図１３】
2006204352.tif 000015
【図１４】
2006204352.tif 000016